(57)【特許請求の範囲】
【請求項１】
魚釣りに用いる釣竿であって、
竿体と、
前記竿体の周面に周方向に１８０度離れて配置される１対の第１グリップ片と、
前記竿体の周面に前記第１グリップ片と前記竿体の軸方向に間隔を隔ててかつ前記第１グリップ片と周方向に９０度変位して配置され、前記竿体の周方向に１８０度離れて配置される１対の第２グリップ片と
を備えた釣竿。
【請求項２】
前記第１グリップ片及び第２グリップ片を覆うように前記竿体の周面に配置される筒状部材をさらに備えた、請求項１に記載の釣竿。
【請求項３】
前記筒状部材は熱収縮性弾性部材である、請求項２に記載の釣竿。
【請求項４】
前記竿体の竿元側周面に配置されリールを脱着自在に装着可能なリールシートをさらに備え、
前記第１グリップ片は前記リールシートと周方向に９０度変位して前記リールシートの穂先側に隣接して配置され、前記第２グリップ片は前記第１グリップ片の穂先側に間隔を隔てて前記第１グリップ片と周方向に９０度変位して配置される、請求項１〜３のいずれか１項に記載の釣竿。
【請求項５】
前記第１グリップ片及び第２グリップ片は扁平円盤状部材であって周面に凹凸を有する、請求項１〜４のいずれか１項に記載の釣竿。
【発明の詳細な説明】
【０００１】
【発明の属する技術分野】
本発明は、魚釣りに用いる釣竿に関する。
【０００２】
【従来の技術】
従来の釣竿は、竿体と、竿体の竿元側に配置されリールを装着するためのリールシートと、リールシートの竿元側及び／または穂先側の竿体周面に固定されたグリップとを有している。このグリップは、例えば、ポリウレタンゴム等の弾性部材やコルク材等からなる略円筒型部材であって、竿体の所定の周面上に接着剤等で固定されたり、竿体に直接射出成型等されて固定されている。そして、ユーザはこのグリップを把持してキャスティングやリトリーブ等の操作を行い、魚を釣り上げる。
【０００３】
【発明が解決しようとする課題】
従来の釣竿のグリップは円筒型部材であって、軸方向及び周方向のどの部分を把持してもその形状は一定である。しかし、操作によってはグリップを把持する位置及び方向が異なる場合があり、部分的に変形しているグリップの方が釣り操作を容易に行える場合がある。そこで１つの方法としては、予め部分的に変形させたグリップを製造してこのグリップを竿体に装着する方法が考えられる。しかし、部分的に変形させた筒状のグリップを製造するのは煩雑であり、正確に位置を合わせて竿体へ装着する作業にも手間がかかる。
【０００４】
本発明の課題は、製造が容易であり、グリップを把持しやすく良好に釣り操作を行える釣竿を提供することにある。
【０００７】
【課題を解決するための手段】
発明１にかかる釣竿は、魚釣りに用いる釣竿であって、竿体と、竿体の周面に周方向に１８０度離れて配置される１対の第１グリップ片と、竿体の周面に第１グリップ片と前記竿体の軸方向に間隔を隔ててかつ前記第１グリップ片と周方向に９０度変位して配置され、前記竿体の周方向に１８０度離れて配置される１対の第２グリップ片とを備えている。
【０００８】
この場合には、竿体の周面上において周方向にそれぞれ１８０度離れて配置された１対の第１グリップ片と１対の第２グリップ片とが、互いに９０度変位して配置されており、結果的には竿体周面上の４方向にグリップ片が配置される。この第１グリップ片と第２グリップ片とは軸方向に間隔を隔てて配置されているので、竿体周面上には軸方向及び周方向に部分的に膨らみ変形したグリップが配置されることになる。この結果、ユーザは釣竿操作に応じて任意の変形した部分を把持することができ釣竿操作が容易になる。
【０００９】
発明２にかかる釣竿は、発明１の釣竿であって、第１グリップ片及び第２グリップ片を覆うように竿体の周面に配置される筒状部材をさらに備えている。この場合には、筒状部材が第１グリップ片及び第２グリップ片を覆っており、第１グリップ片及び第２グリップ片を竿体上に十分に固定して耐久性を向上させる。また、竿体周面全体を覆っているのでグリップ片以外の箇所を把持することも可能であり取扱が容易になる。
【００１０】
発明３にかかる釣竿は、発明２の釣竿であって、筒状部材は熱収縮性弾性部材である。この場合には、第１グリップ片及び第２グリップ片を竿体周面上に配置した後に、筒状部材でこれらを覆い熱収縮させることによって竿体に固定可能であり、製造が容易になる。
【００１１】
発明４にかかる釣竿は、発明１〜３のいずれかの釣竿であって、竿体の竿元側周面に配置されリールを脱着自在に装着可能なリールシートをさらに備えている。そして、第１グリップ片はリールシートと周方向に９０度変位してリールシートの穂先側に隣接して配置されており、第２グリップ片は第１グリップ片の穂先側に間隔を隔てて第１グリップ片と周方向に９０度変位して配置されている。
【００１２】
この場合には、以下のように釣竿の竿体操作に合わせてグリップ片が配置されているので釣竿操作がより容易になる。
一方の手で竿体のリールシート付近を把持し他方の手でリールシートに隣接した竿体の部分を把持する際には、ユーザの他方の手はリールシートに対して周方向に９０度変位した方向からグリップを把持する場合が多い。このため、第１グリップ片は、リールシートと周方向に９０度変位してリールシートの穂先側に隣接して配置される。
【００１３】
また、一方の手で竿体のリールシート付近を把持し他方の手でリールシートから離れた竿体の穂先側の部分を把持する際には、ユーザの他方の手はリールシートと同方向（周方向に変位していない方向）からグリップを把持する場合が多い。このため、第２グリップ片は、リールシートと周方向に変位せず（第１グリップ片に対して９０度変位して）竿体の周面に配置される。
【００１４】
発明５にかかる釣竿は、発明１〜４のいずれかの釣竿であって、第１グリップ片及び第２グリップ片は変形柱状部材であって周面に凹凸を有している。この場合には、第１グリップ片及び第２グリップ片の周面に形成された凹凸が滑り止めとして作用して、釣竿の操作を円滑に行うことができる。
【００１５】
【発明の実施の形態】
［第１実施形態］
以下、本発明の第１実施形態について、図面を参照しつつ説明する。
【００１６】
本発明の第１実施形態を採用した釣竿は、図１に示すように、穂先側に複数の竿体が連結される元竿１と、元竿１の竿元側に配置されリール（図示せず）を脱着自在に装着可能なリールシート２と、リールシート２の穂先側の元竿１の周面に配置されるグリップ３とを有している。
【００１７】
元竿１及びその穂先側に連結される複数の竿体は、それぞれ炭素繊維またはガラス繊維等の強化繊維に合成樹脂を含浸させたプリプレグをマンドレルに巻回し焼成して得られた先細り筒状部材である。元竿１の穂先側にはリールからの釣糸を元竿１内に挿入する釣糸導入孔（図示せず）が形成されており、リールからの釣糸は釣糸導入孔から元竿１内に挿入され、順次穂先側の竿体内を通過して穂先側先端から外部に導出される。
【００１８】
リールシート２は、図１に示すように、元竿１の外周に装着された本体部１０と、移動シート部１１とを有している。本体部１０は、内部に元竿１が貫通して装着される合成樹脂または金属からなる変形筒状部材である。本体部１０は、リールの脚部の一端を係止するための固定フード１３と、脚部を載置するための載置部１４とが形成されている。一方、移動シート部１１は元竿１の外周に形成されたねじ部１５に螺合しながら軸方向に移動可能であり、固定フード１３に対向して配置されリールの脚部の他端を覆いながら係止可能である。
【００１９】
グリップ３は、図１〜図４に示すように、リールシート２の穂先側周面に周方向に１８０度離れて配置される１対の第１グリップ片４ａ，４ｂと、第１グリップ片４の穂先側の元竿１周面上に配置され周方向に１８０度離れて配置される１対の第２グリップ片５ａ，５ｂと、第１グリップ片４及び第２グリップ片５を覆うように元竿１の周面上に固定されたチューブ材６とを有している。
【００２０】
第１グリップ片４は、図２及び図４に詳しく示すように、リールシート２の穂先側に隣接して配置されており、それぞれの第１グリップ片４ａ，４ｂは互いに元竿１の周方向に１８０度離れて元竿１の周面上に接着等によって固定されている。この第１グリップ片４ａ，４ｂはそれぞれリールシート２と９０度変位して元竿１に固定されており、リールシート２が固定されている元竿１の周径方向を上下方向とすれば、第１グリップ片４ａ，４ｂは元竿１の左右方向に接着固定されていることになる。また、図５に示すように、第１グリップ片４は、例えば、スチレンゴム，ウレタンゴム等の弾性体からなる軸方向に長い扁平円盤状の部材である。幅が約１５〜２５ｍｍ，長さが約１００〜１８０ｍｍ程度であり、元竿１への接着面と反対側の表面には長さ方向に間隔を隔てて複数の凸部７が形成されている。この凸部７は平面楕円型であり、第１グリップ片４の長さ方向に５〜１０ｍｍほどの長さを有し、０．５〜２．０ｍｍ程度の高さを有している。
【００２１】
また、第２グリップ片５は、図３及び図４に詳しく示すように、第１グリップ片４の穂先側に軸方向に間隔を隔てて配置されており、それぞれの第２グリップ片５ａ，５ｂは互いに元竿１の周方向に１８０度離れて元竿１の周面上に接着等によって固定されている。この第２グリップ片５ａ，５ｂはそれぞれ第１グリップ片４と９０度変位して元竿１に固定されており、リールシート２が固定されている元竿１の周径方向を上下方向とすれば、第２グリップ片５ａ，５ｂは元竿１の上下方向に接着固定されていることになる。なお、第２グリップ片５ａ，５ｂは、図５に示す第１グリップ片４と同種のものであり説明は省略する。
【００２２】
チューブ材６は、熱収縮性樹脂から形成されるチューブ状弾性体である。元竿１の径よりやや大きめのチューブ材６を第１グリップ片４及び第２グリップ片５を覆うように元竿１上に配置し、熱収縮させて元竿１上に密着固定させている。このようにチューブ材６を元竿１に密着固定させた状態において、図１に示すように、内部に配置される第１グリップ片４及び第２グリップ片５の部分が膨らんで浮き上がった状態になっている。
【００２３】
このように構成された釣竿では、一方の手で竿体のリールシート２付近を把持し他方の手でリールシート２に隣接した元竿１の部分を把持する際には、リールシート２に対して周方向に９０度変位した方向から第１グリップ片４付近を把持する。また、一方の手で元竿１のリールシート２付近を把持し他方の手でリールシート２から離れた元竿１の穂先側の部分を把持する際には、リールシート２と同方向（周方向に変位していない方向）から第２グリップ片５付近を把持する。
【００２４】
このように、元竿１の周面上において周方向にそれぞれ１８０度離れて配置された１対の第１グリップ片４ａ，４ｂと１対の第２グリップ片５ａ，５ｂとが、互いに９０度変位して配置されており、結果的には竿体周面上の４方向にグリップ片が配置される。さらに、第１グリップ片４ａ，４ｂと第２グリップ片５ａ，５ｂとは軸方向に間隔を隔てて配置されているので、竿体周面上には軸方向及び周方向に部分的に膨らみ変形したグリップが配置されることになる。この結果、ユーザは釣竿操作に応じて任意の変形した部分を把持することができ釣竿操作が容易になる。また、チューブ材６が元竿１周面全体を覆っているので第１グリップ片４，第２グリップ片５以外の箇所を把持することも可能であり取扱が容易になる。なお、チューブ材６は熱収縮させることによって容易に固定可能である。
【００２５】
［第２実施形態］
以下、本発明の第２実施形態について、図面を参照しつつ説明する。
本発明の第２実施形態を採用した釣竿は、図６に示すように、穂先側に複数の竿体が連結される元竿６１と、元竿６１の竿元側に配置されリール（図示せず）を脱着自在に装着可能なリールシート６２と、リールシート６２の穂先側の元竿１の周面に配置される１対の第１グリップ片６３と、１対の第２グリップ片６４とを有している。
【００２６】
第１グリップ片６３は、リールシート６２の穂先側に隣接して配置されており、それぞれの第１グリップ片６３ａ，６３ｂは互いに元竿６１の周方向に１８０度離れて元竿６１の周面上に接着等によって固定されている。この第１グリップ片６３ａ，６３ｂはそれぞれリールシート６２と９０度変位して元竿６１に固定されており、リールシート６２が固定されている元竿６１の周径方向を上下方向とすれば、第１グリップ片６３ａ，６３ｂは元竿６１の左右方向に接着固定されていることになる。
【００２７】
また、第２グリップ片６４は、第１グリップ片６３の穂先側に軸方向に間隔を隔てて配置されており、それぞれの第２グリップ片６４ａ，６４ｂは互いに元竿６１の周方向に１８０度離れて元竿６１の周面上に接着等によって固定されている。この第２グリップ片６４ａ，６４ｂはそれぞれ第１グリップ片６３と９０度変位して元竿６１に固定されており、リールシート６２が固定されている元竿６１の周径方向を上下方向とすれば、第２グリップ片６４ａ，６４ｂは元竿６１の上下方向に接着固定されていることになる。なお、第１グリップ片６３及び第２グリップ片６４は、それぞれ第１実施形態と同様に周面上に凸部を有している。
【００２８】
このように構成された釣竿では、一方の手で竿体のリールシート６２付近を把持し他方の手でリールシート６２に隣接した元竿６１の部分を把持する際には、リールシート６２に対して周方向に９０度変位した方向から第１グリップ片６３を把持する。また、一方の手で元竿６１のリールシート６２付近を把持し他方の手でリールシート６２から離れた元竿６１の穂先側の部分を把持する際には、リールシート６２と同方向（周方向に変位していない方向）から第２グリップ片６４を把持する。
【００２９】
以上のように、元竿６１の周面上において結果的には竿体周面上の４方向にグリップ片が配置され、さらに、第１グリップ片６３と第２グリップ片６４とは軸方向に間隔を隔てて配置されているので、ユーザは釣竿操作に応じて各グリップ片を把持することができ釣竿操作が容易になる。また、軸方向及び周方向にグリップ片が分かれて配置されており意匠性も向上する。
【００３０】
［第３実施形態］
以下、本発明の第３実施形態について、図面を参照しつつ説明する。
本発明の第３実施形態を採用した釣竿は、図７に示すように、穂先側に複数の竿体が連結される元竿７１と、元竿７１の竿元側端部付近周面に配置された１対の第１グリップ片７３と、１対の第２グリップ片７４と、一対の第３グリップ片７５とを有している。
【００３１】
第１グリップ片７３は、元竿７１の竿元側端部に隣接して配置されており、それぞれの第１グリップ片７３ａ，７３ｂは互いに元竿７１の周方向に１８０度離れて元竿７１の周面上に接着等によって固定されている。また、第２グリップ片７４は、第１グリップ片７３の穂先側に隣接して配置されており、それぞれの第２グリップ片７４ａ，７４ｂは互いに元竿７１の周方向に１８０度離れて元竿７１の周面上に接着等によって固定されている。この第２グリップ片７４ａ，７４ｂはそれぞれ第１グリップ片７３と９０度変位して元竿７１に固定されている。
【００３２】
さらに、第３グリップ片７５は、第２グリップ片７４の穂先側に隣接して配置されており、それぞれの第３グリップ片７５ａ，７５ｂは互いに元竿７１の周方向に１８０度離れて元竿７１の周面上に接着等によって固定されている。この第３グリップ片７５ａ，７５ｂはそれぞれ第２グリップ片７４と９０度変位して元竿７１に固定されており、第１グリップ片７３とは周方向に変位することなく固定されている。なお、第１グリップ片７３〜第３グリップ片７５は、長さ方向に間隔を隔てて円筒状に突出した凸部を有している。
【００３３】
以上のように、元竿７１の竿元側端部に竿体周面上の４方向にグリップ片が配置され、さらに、第１グリップ片７３〜第３グリップ片７５とは軸方向に並んで配置されているので、ユーザは釣竿操作に応じて任意のグリップ片を把持することができ釣竿操作が容易になる。
【００３４】
［他の実施形態］
（ａ）グリップ片の数は、上記実施形態に限定されるものではなく、さらに複数のグリップ片を配置してもよい。
（ｂ）本発明は中通し竿，外通し竿のいずれにも適応可能であり、また、振出形式，並継形式のいずれにも適応可能である。
（ｃ）グリップ片の形状は上記実施形態に限定されるものではなく、他の様々な形状を採用できる。例えば、円形，長方形型等が挙げられる。
【００３５】
【発明の効果】
本発明にかかる釣竿によれば、容易に製造可能であり、様々な方向に変形したグリップ部分を把持して釣りを行うことができ釣り操作が容易になる。
【図面の簡単な説明】
【図１】本発明の第１実施形態を採用した釣竿の竿元側を示した部分図。
【図２】図１のII−II断面図。
【図３】図１のIII−III断面図。
【図４】本発明の第１実施形態を採用した釣竿のグリップ付近の分解図。
【図５】図１のグリップ片の拡大図。
【図６】本発明の第２実施形態を採用した釣竿の竿元側の部分図。
【図７】本発明の第３実施形態を採用した釣竿の竿元側の部分図。
【符号の説明】
１，６１，７１  元竿
２，６２，７２  リールシート
３  グリップ
４，６３，７３  第１グリップ片
５，６４，７４  第２グリップ片
６  チューブ材
７  凸部
７５  第３グリップ片
【図１】
0004131557.tif 000002
【図２】
0004131557.tif 000003
【図３】
0004131557.tif 000004
【図４】
0004131557.tif 000005
【図５】
0004131557.tif 000006
【図６】
0004131557.tif 000007
【図７】
0004131557.tif 000008